【手続補正書】
【提出日】平成30年1月19日(2018.1.19)
【手続補正１】
【補正対象書類名】明細書
【補正対象項目名】０００９
【補正方法】変更
【補正の内容】
【０００９】
上記課題を解決するために、本発明に係る眼科装置の一つは、
被検眼の眼底を撮影するための撮影光学系と、
前記撮影光学系の光路上に配置される合焦手段と、
前記合焦手段が前記光路上の第１の位置に自動的に動かされた後に、前記眼底を撮影して得た眼底画像が写損を有する原因として選択された結果を用いて、前記合焦手段の前記光路上の第２の位置を決定する決定手段と、
前記合焦手段が前記第１の位置から前記第２の位置に自動的に動かされた後に、前記眼底を前記撮影光学系により自動的に再撮影させる制御手段と、
を備えることを特徴とする。
【手続補正２】
【補正対象書類名】特許請求の範囲
【補正対象項目名】全文
【補正方法】変更
【補正の内容】
【特許請求の範囲】
【請求項１】
被検眼の眼底を撮影するための撮影光学系と、
前記撮影光学系の光路上に配置される合焦手段と、
前記合焦手段が前記光路上の第１の位置に自動的に動かされた後に、前記眼底を撮影して得た眼底画像が写損を有する原因として選択された結果を用いて、前記合焦手段の前記光路上の第２の位置を決定する決定手段と、
前記合焦手段が前記第１の位置から前記第２の位置に自動的に動かされた後に、前記眼底を前記撮影光学系により自動的に再撮影させる制御手段と、
を備えることを特徴とする眼科装置。
【請求項２】
前記眼底画像を表示手段に表示させる表示制御手段を更に備え、
前記決定手段は、前記眼底画像が前記表示手段に表示された後に、ユーザーの操作に応じて前記原因として選択された結果を用いて、前記第２の位置を決定することを特徴とする請求項１に記載の眼科装置。
【請求項３】
前記決定手段は、前記眼底画像が前記表示手段に表示された後に、ユーザーの操作に応じて前記眼科装置を手動制御させて前記眼底を再撮影するか、前記眼科装置を自動制御させて前記眼底を再撮影するかを、ユーザーの操作に応じて決定することを特徴とする請求項２に記載の眼科装置。
【請求項４】
前記表示された眼底画像を保存するか否かを入力する入力手段を更に備え、
前記決定手段は、前記表示された眼底画像を保存しないと入力された場合に、前記合焦手段および前記撮影光学系を含む撮影部の少なくとも何れかを駆動する駆動部を自動制御した後に前記眼底を再撮影させるか、前記駆動部を手動制御した後に前記眼底を再撮影させるか、を決定することを特徴とする請求項２又は３に記載の眼科装置。
【請求項５】
前記表示制御手段は、前記合焦手段および前記撮影部の少なくとも何れかを駆動する前記駆動部を自動制御して前記眼底を再撮影することが選択された場合に、写損原因リストを前記表示手段に表示させ、
前記決定手段は、前記表示された写損原因リストより前記眼底画像が写損を有することとなった写損原因として選択された結果を用いて前記駆動部を自動制御することを特徴とする請求項４に記載の眼科装置。
【請求項６】
前記駆動部を自動制御する際に、選択された写損原因がフレアの場合は前記眼底を再撮影する時において前記駆動部による前記撮影部の駆動を自動制御し、選択された写損原因が合焦ズレの場合は前記駆動部による前記合焦手段の駆動を自動制御することを特徴とする請求項５に記載の眼科装置。
【請求項７】
前記駆動部を自動制御する際に、写損を有した前記眼底画像の周辺部の前記フレアの幅から前記駆動部によって前記撮影部を駆動する駆動量を算出し、前記被検眼と前記撮影部との相対間隔を前記フレアの色が赤い場合は広げる方向の駆動量で、青い場合は近づける方向の駆動量で前記駆動部を自動制御することを特徴とする請求項６に記載の眼科装置。
【請求項８】
前記駆動部を自動制御する際に、選択された写損原因が合焦ズレの場合は、再撮影時における合焦ズレの量から前記被検眼の視度を取得し、前記視度に応じて前記駆動部は前記合焦手段の駆動を自動制御することを特徴とする請求項５乃至７の何れか１項に記載の眼科装置。
【請求項９】
前記眼底画像を保存するか否かを入力する入力手段を更に備え、
前記決定手段は、前記眼底画像を保存しないと入力された場合に、前記撮影光学系を含む撮影部を用いて前記眼底を手動撮影するか、前記眼底が撮影された際の前記撮影部の駆動制御の条件で前記眼底を再撮影するか、の何れかを決定することを特徴とする請求項１乃至３の何れか１項に記載の眼科装置。
【請求項１０】
前記決定手段は、前記撮影部の駆動制御の条件において、前記撮影部と前記被検眼とのアライメントの状態と、前記眼底に対する前記合焦手段の合焦の状態との少なくとも何れかを変更する前記撮影部の駆動制御の条件で、前記眼底を再撮影する場合を決定可能であることを特徴とする請求項９に記載の眼科装置。
【請求項１１】
前記駆動制御の条件は、前記撮影部と前記被検眼とのアライメントの状態および前記合焦手段の前記被検眼に対する合焦の状態を含むことを特徴とする請求項９に記載の眼科装置。
【請求項１２】
前記決定手段は、前記眼底画像を解析することにより前記原因として選択された結果を用いて、前記第２の位置を決定することを特徴とする請求項１に記載の眼科装置。
【請求項１３】
前記原因が前記眼底画像の周辺部に生じた合焦ズレであり、
前記第２の位置は前記眼底画像の周辺部に生じた合焦ズレを低減するように決定されることを特徴とする請求項１乃至１２の何れか１項に記載の眼科装置。
【請求項１４】
前記原因が選択されずに前記眼底が自動的に再撮影された場合に、前記写損と同じ写損を有する眼底画像が撮影されることを特徴とする請求項１乃至１３の何れか１項に記載の眼科装置。
【請求項１５】
前記写損を有する原因は、白内障、極端な軸性近視、及び極端な軸性遠視を含むことを特徴とする請求項１乃至１４の何れか１項に記載の眼科装置。
【請求項１６】
前記決定手段は、前記原因を解決するための撮像条件として、前記第２の位置を決定することを特徴とする請求項１乃至１５の何れか１項に記載の眼科装置。
【請求項１７】
被検眼の眼底を撮影するための撮影光学系と、
前記撮影光学系の光路上に配置される合焦手段と、
前記合焦手段が前記光路上の第１の位置に自動的に動かされた後に、前記被検眼の眼底画像の画質を向上するための撮影条件として、前記合焦手段の前記光路上の第２の位置を決定する決定手段と、
前記合焦手段が前記第１の位置から前記第２の位置に自動的に動かされた後に、前記眼底を前記撮影光学系により自動的に再撮影させる制御手段と、
を備えることを特徴とする眼科装置。
【請求項１８】
被検眼の眼底を撮影するための撮影光学系と、前記撮影光学系の光路上に配置される合焦手段と、を備えた眼科装置の制御方法において、
前記合焦手段が前記光路上の第１の位置に自動的に動かされた後に、前記眼底を撮影して得た眼底画像が写損を有する原因として選択された結果を用いて、前記合焦手段の前記光路上の第２の位置を決定する決定工程と、
前記合焦手段が前記第１の位置から前記第２の位置に自動的に動かされた後に、前記眼底を前記撮影光学系により自動的に再撮影させる工程と、
を含むことを特徴とする眼科装置の制御方法。
【請求項１９】
被検眼の眼底を撮影するための撮影光学系と、前記撮影光学系の光路上に配置される合焦手段と、を備えた眼科装置の制御方法において、
前記合焦手段が前記光路上の第１の位置に自動的に動かされた後に、前記被検眼の眼底画像の画質を向上するための撮影条件として、前記合焦手段の前記光路上の第２の位置を決定する決定工程と、
前記合焦手段が前記第１の位置から前記第２の位置に自動的に動かされた後に、前記眼底を前記撮影光学系により自動的に再撮影させる工程と、
を含むことを特徴とする眼科装置の制御方法。
【請求項２０】
請求項１８又は１９に記載の眼科装置の制御方法の各工程をコンピュータに実行させることを特徴とするプログラム。